(57)【特許請求の範囲】
【請求項１】
透液性の表面層と不透液性の裏面層と両層の間に吸液性コアが介在し、前記表面層の両端部が前記裏面層に直接的および／または間接的に接合することによって構成される生理用ナプキンであって、
前記表面層が、１０〜２００ｇ／ｍ２の坪量と、１〜１０ｄの繊度とを有し、一方向へのみ並行して延びる多数の熱可塑性合成樹脂の連続フィラメントのみから構成されるトウを均一に開繊して所定幅のウエブに形成し、かつ所定長さに切断して得られるものであって、
前記表面層には、隣接する複数条の前記フィラメントどうしを接合するための前記一方向と交差する方向へ延びる溶着ラインが前記一方向に間欠的に配設されており、
前記溶着ラインが、前記表面層の表面から凹んだ部位を形成しており、
隣り合う前記溶着ラインどうしが５〜５０ｍｍの離間距離を有することを特徴とする前記生理用ナプキン。
【請求項２】
前記溶着ラインが、前記一方向と交差する方向にも間欠的に配設されている請求項１記載の生理用ナプキン。
【発明の詳細な説明】
【０００１】
【発明の属する技術分野】
この発明は、生理用ナプキンの透液性表面層に関する。
【０００２】
【従来の技術】
従来、この種の表面層に布様の肌触りをもたせるために、ステープル（短繊維）で構成された不織布を使用することは周知である。不織布には、ステープルが抜け落ちないように、比較的短いピッチで溶着部位や接着部位が施されたり、ステープルを機械的に交絡させるための高圧噴射水流処理が施されたりして、ステープルどうしが接合した状態にある。
【０００３】
【発明が解決しようとする課題】
前記従来の不織布では、ステープルどうしが比較的短いピッチで接合することにより、それぞれのステープルの自由な動きが抑制されるから、ステープルは繊度が小さく柔軟であっても、得られる不織布はそれほど柔軟にしてクッション性に富む肌触りのものにはならない。
【０００４】
そこで、この発明は、生理用ナプキンの表面層の肌触りを、表面シートにステープルを使用した場合よりもさらに柔軟にしてクッション性に富むものにすることを課題にしている。
【０００５】
【課題を解決するための手段】
前記課題を解決するために、この発明が前提とするのは、透液性の表面層と不透液性の裏面層と両層の間に吸液性コアが介在し、前記表面層の両端部が前記裏面層に直接的および／または間接的に接合することによって構成される生理用ナプキンである。
【０００６】
かかる前提において、この発明が特徴とするところは、前記表面層が、１０〜２００ｇ／ｍ２の坪量と、１〜１０ｄの繊度とを有し、一方向へのみ並行して延びる多数の熱可塑性合成樹脂の連続フィラメントのみから構成されるトウを均一に開繊して所定幅のウエブに形成し、かつ所定長さに切断して得られるものであって、前記表面層には、隣接する複数条の前記フィラメントどうしを接合するための前記一方向と交差する方向へ延びる溶着ラインが前記一方向に間欠的に配設されており、前記溶着ラインが、前記表面層の表面から凹んだ部位を形成しており、隣り合う前記溶着ラインどうしが５〜５０ｍｍの離間距離を有することにある。
【０００７】
【発明の実施の形態】
添付の図面を参照し、この発明に係る表面シートの詳細を説明すると、以下のとおりである。
【０００８】
図１に部分破断図で示された生理用ナプキン１は、透液性の表面シート（層）２と、不透液性裏面シート３と、これら両シート間に介在する吸液性コア４とによって構成されている。ナプキン１は、前後方向に長いほぼ矩形を呈している。
【０００９】
表面シート２は、１〜１０ｄ（デニール）の多数の熱可塑性合成樹脂連続フィラメント６で構成されるトウを均一に開繊して所定幅のウエブに形成し、かつ所定長さに切断して得られるもので、１０〜２００ｇ／ｍ２の坪量を有する。各フィラメント６は、互いに並行してナプキン１の長手方向へ連続して延び、コア４から延出してナプキン１の両端部７において加圧下に互いに溶着し、かつ、裏面シート３の上面にも溶着している。それゆえ、個々のフィラメント６は、直接的または間接的に裏面シート３に溶着した状態にある。ナプキン１の幅方向において、コア４の側縁８の外側であって、ナプキン１の側縁部分９に位置するフィラメント６が加圧下に互いに溶着し、かつ、裏面シート３の上面にも溶着している。フィラメント６のこれらの溶着によって、ナプキン１にはその周縁に沿って延びる溶着域１１が形成されているとともに、溶着域１１が主体領域１０の表面よりも低くなるように圧縮されている。
【００１０】
溶着域１１で囲繞される表面シート２の主体領域１０のフィラメント６には、幅方向へ直線的に延びる多数の加圧溶着ライン１２が形成され、該ライン１２において互いに隣接する複数条のフィラメント６どうしが溶着している。それゆえ、溶着ライン１２は、条溝を呈して主体領域１０の表面から凹み、着用者の肌を刺激することがない。長手方向において隣接する溶着ライン１２どうしの間ではフィラメント６が隆起して軟らかく肌に接触する。かかる溶着ライン１２は、ナプキン１の長手方向に０．３〜３ｍｍの幅を有し、ナプキン１の幅方向に少なくとも３ｍｍの長さを有する。溶着ライン１２は、必要なら、両側縁部分９にまたがる長さであってもよい。ナプキン１の長手方向において、溶着ライン１２は間欠的に配設され、隣り合う溶着ライン１２どうしは５〜５０ｍｍの離間距離を有する。
【００１１】
表面シート２とコア４とは、互いに当接する部位において間欠的に溶着または接着して一体となることがある。
【００１２】
裏面シート３には、ポリエチレンフィルム等の熱可塑性合成樹脂フィルムが使用されている。
【００１３】
コア４は、粉砕パルプまたは粉砕パルプと高吸水性ポリマーとの混合物の賦型品であって、必要に応じてその賦型品がティシューペーパで被覆される。ティシューペーパが使用されているときには、表面シート２とコア４との一体化が容易である。
【００１４】
このように構成されたナプキン１では、フィラメント６からなる表面シート２が布様の肌触りのものであるうえに、コットン層のように柔軟性またはクッション性に富むものとなる。また、各フィラメント６は、ナプキン両端部７において互いに溶着し、かつ、裏面シート３に直接的または間接的に溶着することにより保持されていて抜け落ちることがない。フィラメント６は、両端部７間に形成された多数の溶着ライン１２においても互いに溶着しているから、フィラメント６が互いに離間してコア４が大きく露出したり、フィラメント６どうしが絡み合って着用感の妨げになったりすることがない。
【００１５】
図２〜５は、溶着ライン１２の各種態様を示す表面シート２の部分平面図である。図２の表面シート２では、溶着ライン１２が長手方向Ｘ−Ｘへ延びる互いに平行な複数条の第１溶着ライン１２Ａと、幅方向Ｙ−Ｙへ延びる互いに平行な複数条の第２溶着ライン１２Ｂとによって構成されている。第１，２溶着ライン１２Ａ，１２Ｂそれぞれは、０．３〜３ｍｍの幅を有し、両端部７間と両側縁部１１間とに延在している。第１，２溶着ライン１２Ａどうし及び１２Ｂどうしは、５〜５０ｍｍの平行間隔を有する。
【００１６】
図３の表面シート２では、溶着ライン１２が両側縁部１１間において右上りに延びる互いに平行な複数条の第１溶着ライン１２Ａと、左上りに延びる互いに平行な複数条の第２溶着ライン１２Ｂとによって構成されている。第１，２溶着ライン１２Ａ，１２Ｂの幅と平行間隔は、図２のそれと同様である。
【００１７】
図４の表面シート２における溶着ライン１２は、両側縁部１１間に延在し、互いに並行な複数条のサインカーブを画く曲線である。溶着ライン１２の幅と、ライン１２どうしの間隔は、図２のそれと同様である。
【００１８】
図５の表面シート２における個々の溶着ライン１２は、ナプキン１の長手方向と幅方向とに延びる比較的短い溶着ライン１２Ａ，１２Ｂが互いに交差して形成する＋字形の部位である。多数の溶着ライン１２は、表面シート２に規則的に配設される場合と、不規則に配設される場合とがある。溶着ライン１２Ａ，１２Ｂは、０．３〜３ｍｍの幅と３〜２０ｍｍの長さとを有する。
【００１９】
フィラメント６が疎水性のものである場合には、表面シート２の下面側を親水化処理剤によって処理し、体液が表面シート２の上面側から下面側へ移行し易いようにすることができる。
【００２０】
この発明におけるフィラメントどうしの接合やフィラメントと裏面シートとの接合には、図示例の溶着の他にホットメルト接着剤等の接着剤を利用することもできる。
【００２１】
【発明の効果】
この発明に係る表面シートは、フィラメントを使用することによって布様の、柔軟でクッション性に富む肌触りとなる。フィラメントは、その両端部で互いに溶着し、かつ、直接的または間接的に裏面シートに溶着することによって抜け落ちることがない。フィラメントは、一方向へ互いに平行に延びるから、その方向への体液の拡散を促進することができる。
【図面の簡単な説明】
【図１】生理用ナプキンの部分破断斜視図。
【図２】溶着ラインの一例を示す表面シートの部分平面図。
【図３】図２と同様の部分平面図。
【図４】図２と同様の部分平面図。
【図５】図２と同様の部分平面図。
【符号の説明】
２      表面層
６      フィラメント
１２    溶着ライン
【図１】
0003564246.tif 000002
【図２】
0003564246.tif 000003
【図３】
0003564246.tif 000004
【図４】
0003564246.tif 000005
【図５】
0003564246.tif 000006